(57)【要約】【課題】インキ吸蔵体のずれ及びそれに起因する問題の発生をより確実に防止する。【解決手段】軸筒部２と、繊維収束体を有する塗布液吸蔵体と、塗布液を塗布するための塗布体とを有し、塗布液吸蔵体に含浸させた塗布液を塗布体へ供給する塗布具において、軸筒部２に繊維体当接部を設ける。この繊維体当接部は、軸筒部２と一体に形成され、塗布液吸蔵体よりも前方に位置し、軸筒部２の長手方向で繊維収束体と重なるものとする。そして、繊維収束体の前端側部分を軸筒部２の横断面に投影したときの投影面の面積を吸蔵体配置面積とし、繊維体当接部を軸筒部２の横断面に投影したときの投影面の面積を当接部面積としたとき、吸蔵体配置面積に対する当接部面積の割合が１５パーセント以上となるようにする。【選択図】図７
2019025857.tif 000002
【特許請求の範囲】
【請求項１】
軸筒部と、前記軸筒部内に収容される塗布液吸蔵体と、塗布液を塗布するための塗布体とを有し、前記塗布液吸蔵体に含浸させた塗布液を前端側に位置する前記塗布体へ供給する塗布具であって、
前記塗布液吸蔵体は、繊維収束体を有し、
前記軸筒部は、繊維体当接部を有し、
前記繊維体当接部は、前記塗布液吸蔵体よりも前方に位置し、
さらに前記繊維体当接部は、前記軸筒部の長手方向で前記繊維収束体と重なる位置に配されており、
前記繊維収束体の前端側部分を前記軸筒部の横断面に投影したときの投影面の面積を吸蔵体配置面積とし、前記繊維体当接部を前記軸筒部の横断面に投影したときの投影面の面積を当接部面積としたとき、
前記吸蔵体配置面積に対する前記当接部面積の割合が１５パーセント以上であることを特徴とする塗布具。
【請求項２】
前記繊維体当接部は、前記軸筒部と一体に形成されたものであることを特徴とする請求項１に記載の塗布具。
【請求項３】
前記軸筒部は、本体筒部と内側小筒部とを有しており、
前記本体筒部の内部に、前記内側小筒部の少なくとも一部が位置しており、
前記本体筒部の内部では、前記本体筒部の内周面と前記内側小筒部の外周面とが前記軸筒部の横断面の広がり方向で離間しており、
前記内側小筒部には、欠落部が形成されており、当該欠落部は、前記内側小筒部の外周面から内部空間までを貫通しており、
前記本体筒部の内部空間と前記軸筒部の外部を連通する空気流通路が形成されており、
前記空気流通路は、前記欠落部から前記内側小筒部の内部空間を経て前記軸筒部の外部まで延びており、
前記繊維体当接部が、前記軸筒部の横断面の広がり方向で前記欠落部の外側となる位置に形成されていることを特徴とする請求項１又は２に記載の塗布具。
【請求項４】
前記欠落部は、前記内側小筒部の後端側部分から前方へ向かって延びる切り欠き状の部分であり、前記内側小筒部の後端面のうち、前記欠落部が位置しない部分が前記繊維体当接部として機能することを特徴とする請求項３に記載の塗布具。
【請求項５】
少なくとも２つの前記欠落部が所定方向で離間した位置にそれぞれ形成されており、他の２つの前記欠落部が前記所定方向と直交する方向で離間した位置にそれぞれ形成されるものであって、
前記軸筒部の横断面の広がり方向でそれぞれの前記欠落部の外側となる位置に、それぞれ別の前記繊維体当接部が位置していることを特徴とする請求項３又は４に記載の塗布具。
【請求項６】
前記塗布液吸蔵体は、筒状の外郭部材の内部に前記繊維収束体を収容して形成され、
前記軸筒部は、外皮当接部をさらに有し、
前記外皮当接部は、前記軸筒部と一体に形成され、且つ、前記塗布液吸蔵体よりも前方に位置するものであり、
前記外皮当接部は前記軸筒部の長手方向で前記外郭部材と重なる位置に配されており、
複数の前記外皮当接部が、前記軸筒部の長手方向を視線方向とした平面視において、それぞれ間隔を空けて環状に並列するように形成されており、
前記外皮当接部よりも前記軸筒部の横断面の広がり方向で内側となる位置に複数の前記繊維体当接部が形成され、
複数の前記繊維体当接部が、前記平面視において、それぞれ間隔を空けて環状に並列するように形成されていることを特徴とする請求項１乃至５のいずれかに記載の塗布具。
【請求項７】
前記繊維体当接部は、複数形成されており、
複数の前記繊維体当接部が前記軸筒部の長手方向に延びる中心軸を中心として互いに回転対称となる位置に形成されていることを特徴とする請求項１乃至６のいずれかに記載の塗布具。
【請求項８】
前記軸筒部は、本体筒部と内側小筒部とを有しており、
前記本体筒部の内部に、前記内側小筒部の少なくとも一部が位置しており、
前記本体筒部の内周面と前記内側小筒部の外周面とを連結する連結壁部が形成されており、
前記本体筒部の内周面と、前記軸筒部の長手方向で前記連結壁部と重なる面とが連続しており、少なくとも一の前記繊維体当接部は、この連続する２面と一体に形成される突起状部分の一部であることを特徴とする請求項１乃至７のいずれかに記載の塗布具。
【請求項９】
前記塗布体の最小径は、０．１ｍｍ以上３ｍｍ以下であることを特徴とする請求項１乃至８のいずれかに記載の塗布具。
【発明の詳細な説明】
【技術分野】
【０００１】
本発明は、塗布液吸蔵体に含浸させた塗布液を塗布体に供給する塗布具に関するものである。
【背景技術】
【０００２】
マーキングペン等のように、インキ（塗布液）を含浸させたインキ吸蔵体（塗布液吸蔵体）を本体軸筒に内蔵させ、インキをインキ吸蔵体から塗布体に供給する構造の塗布具が広く知られている。このような塗布具として、例えば、特許文献１に開示されたものがある。
【０００３】
特許文献１に開示された筆記具には、落下時の衝撃等に起因して発生するインキ吸蔵体のずれ、すなわち、インキ吸蔵体のペン先側への不意の移動を阻止すべく、軸筒内壁面に突条を形成した構造が開示されている。
具体的に説明すると、軸筒内壁面のうち、インキ吸蔵体が配置される部分よりもペン先側の位置に突条を設けている。そして、それぞれの突条は、軸筒内壁面から軸筒の径方向内側へ向かって突出しており、且つ、軸筒の長手方向に延びている。このことから、インキ吸蔵体がペン先側へと移動しようとすると、インキ吸蔵体が突条に当接することで、この移動が阻止される。
【０００４】
さらに具体的には、この筆記具では、複数の突条が、軸筒の周方向で所定間隔を空けて並列するように配置している。そして、隣接する突条同士をつなぐように、壁状部分が形成されている。すなわち、軸筒内壁面と壁状部分の間であり、隣接する突条同士の間にインキを貯留するための空間が形成されている。
【先行技術文献】
【特許文献】
【０００５】
【特許文献１】実公昭６１−１２１２８号公報
【発明の概要】
【発明が解決しようとする課題】
【０００６】
しかしながら、上記した構造の筆記具は、インキ吸蔵体のずれを確実に防止するという観点から、改良の余地があった。
具体的に説明すると、インキ吸蔵体は、通常、筒状の外郭部材の内部に綿等を詰め込んで形成される部材となっている。すなわち、インキ吸蔵体は、軸筒の内壁面の近傍に外郭部材が位置し、そのさらに内側に綿が位置した状態で軸筒内に収納されている。
【０００７】
そして、特許文献１の構造では、インキ吸蔵体がペン先側へ移動しようとしたとき、外郭部材の移動は突条によって阻止されるが、その内側の綿部分がペン先側へ移動してしまう。つまり、外郭部材の内側から綿がペン先側へ飛び出してしまうという問題があった。
【０００８】
この問題は、筆記体の径が小さい場合に特に顕著に発生する。すなわち、筆記体は、インキ吸蔵体の綿部分にペン先側から差し込まれているので、径が大きい場合、筆記体そのものが綿の移動を阻止するために作用することがある。
これに対して、筆記体の径が小さい場合には、このような綿の移動を阻止できず、綿がペン先側へ飛び出してしまう。このことから、筆記体のうち、本来であれば綿に差し込まれない部分まで、周囲を綿に取り囲まれた状態となってしまう。
【０００９】
ここで、特許文献１の第１図でも示されるように、筆記体のうちで綿に差し込まれない部分の径方向外側には、軸筒の内部と外部を連通する空気孔が設けられる場合がある。
このような場合、綿がペン先側へ飛び出してしまうと、飛び出した綿が空気孔を閉塞してしまい、空気の流通が阻害され、筆記時にかすれやムラが発生してしまうことがある。
【００１０】
また、綿が空気孔を閉塞してしまうと、インキ漏れが生じてしまうという問題もある。
具体的に説明すると、筆記具を実際に購入して使用する場合、室温の上昇等の理由により、筆記具の周辺温度が上昇する場合がある。このとき、筆記具内で空気が膨張するが、空気孔が綿（インキが含浸された綿）で閉塞された状態では、空気孔が膨張した空気の流出口として機能せず、膨張した空気によってインキが押圧されてしまう。この結果、押されたインキが外部に流出し、インキ漏れが生じてしまう。
このように、従来の塗布具には、繊維収束体が空気孔を塞ぐ位置までずれてしまうという問題があった。そして、これに起因して筆記時にかすれやムラが発生してしまうという問題や、インキ漏れが生じてしまうという問題が生じており、これらの問題の解決が望まれていた。
【００１１】
そこで本発明は、繊維収束体の所定位置からのずれ及びそれに起因する問題の発生をより確実に防止可能な塗布具を提供することを課題とする。
【課題を解決するための手段】
【００１２】
上記課題を解決するための請求項１に記載の発明は、軸筒部と、前記軸筒部内に収容される塗布液吸蔵体と、塗布液を塗布するための塗布体とを有し、前記塗布液吸蔵体に含浸させた塗布液を前端側に位置する前記塗布体へ供給する塗布具であって、前記塗布液吸蔵体は、繊維収束体を有し、前記軸筒部は、繊維体当接部を有し、前記繊維体当接部は、前記塗布液吸蔵体よりも前方に位置し、さらに前記繊維体当接部は、前記軸筒部の長手方向で前記繊維収束体と重なる位置に配されており、前記繊維収束体の前端側部分を前記軸筒部の横断面に投影したときの投影面の面積を吸蔵体配置面積とし、前記繊維体当接部を前記軸筒部の横断面に投影したときの投影面の面積を当接部面積としたとき、前記吸蔵体配置面積に対する前記当接部面積の割合が１５パーセント以上であることを特徴とする塗布具である。
【００１３】
本発明の塗布具によると、塗布液吸蔵体が前方側（塗布体側）へ移動しようとしたとき、広範囲に亘って繊維体当接部が繊維収束体に接触するので、繊維収束体のずれをより確実に防止可能となる。
【００１４】
請求項２に記載の発明は、前記繊維体当接部は、前記軸筒部と一体に形成されたものであることを特徴とする請求項１に記載の塗布具である。
【００１５】
かかる構成によると、繊維体当接部が軸筒部に対して位置ずれしたりすることがなく、好ましい。さらに、軸筒部と繊維体当接部とを別体としてそれぞれ形成する構成に比べ、簡易に製造可能であり、コストの低減を図ることができる。
【００１６】
請求項３に記載の発明は、前記軸筒部は、本体筒部と内側小筒部とを有しており、前記本体筒部の内部に、前記内側小筒部の少なくとも一部が位置しており、前記本体筒部の内部では、前記本体筒部の内周面と前記内側小筒部の外周面とが前記軸筒部の横断面の広がり方向で離間しており、前記内側小筒部には、欠落部が形成されており、当該欠落部は、前記内側小筒部の外周面から内部空間までを貫通しており、前記本体筒部の内部空間と前記軸筒部の外部を連通する空気流通路が形成されており、前記空気流通路は、前記欠落部から前記内側小筒部の内部空間を経て前記軸筒部の外部まで延びており、前記繊維体当接部が、前記軸筒部の横断面の広がり方向で前記欠落部の外側となる位置に形成されていることを特徴とする請求項１又は２に記載の塗布具である。
【００１７】
かかる構成では、軸筒部の内外を連通する空気流通路の流路端となる部分の外側に繊維体当接部が位置しており、空気流通路の流路端やその周辺部分に繊維収束体が入り込み難く、空気流通路の閉塞をより確実に防止できる。
【００１８】
請求項４に記載の発明は、前記欠落部は、前記内側小筒部の後端側部分から前方へ向かって延びる切り欠き状の部分であり、前記内側小筒部の後端面のうち、前記欠落部が位置しない部分が前記繊維体当接部として機能することを特徴とする請求項３に記載の塗布具である。
【００１９】
かかる構成によると、製造時における欠落部の形成が容易であり、好ましい。
【００２０】
請求項５に記載の発明は、少なくとも２つの前記欠落部が所定方向で離間した位置にそれぞれ形成されており、他の２つの前記欠落部が前記所定方向と直交する方向で離間した位置にそれぞれ形成されるものであって、前記軸筒部の横断面の広がり方向でそれぞれの前記欠落部の外側となる位置に、それぞれ別の前記繊維体当接部が位置していることを特徴とする請求項３又は４に記載の塗布具である。
【００２１】
かかる構成では、空気流通路の閉塞をさらに確実に防止できる。
【００２２】
請求項６に記載の発明は、前記塗布液吸蔵体は、筒状の外郭部材の内部に前記繊維収束体を収容して形成され、前記軸筒部は、外皮当接部をさらに有し、前記外皮当接部は、前記軸筒部と一体に形成され、且つ、前記塗布液吸蔵体よりも前方に位置するものであり、前記外皮当接部は前記軸筒部の長手方向で前記外郭部材と重なる位置に配されており、複数の前記外皮当接部が、前記軸筒部の長手方向を視線方向とした平面視において、それぞれ間隔を空けて環状に並列するように形成されており、前記外皮当接部よりも前記軸筒部の横断面の広がり方向で内側となる位置に複数の前記繊維体当接部が形成され、複数の前記繊維体当接部が、前記平面視において、それぞれ間隔を空けて環状に並列するように形成されていることを特徴とする請求項１乃至５のいずれかに記載の塗布具である。
【００２３】
かかる構成によると、外郭部材の移動を阻止するための外皮当接部と、繊維収束体の移動を阻止する繊維体当接部を設けており、それぞれが外郭部材、繊維収束体の全域にわたってバランスよく接触する。このことから、塗布液吸蔵体全体の前方への移動をより確実に阻止できる。
【００２４】
請求項７に記載の発明は、前記繊維体当接部は、複数形成されており、複数の前記繊維体当接部が前記軸筒部の長手方向に延びる中心軸を中心として互いに回転対称となる位置に形成されていることを特徴とする請求項１乃至６のいずれかに記載の塗布具である。
【００２５】
かかる構成においても、繊維体当接部がバランスよく配置されるので、繊維収束体の各部の前方側への移動を全域にわたって偏りなく阻止できる。
また、繊維体当接部をバランスよく配置されるように形成することで、塗布具全体における重量バランスをよくすることが可能であるという、二次的な効果もある。
【００２６】
請求項８に記載の発明は、前記軸筒部は、本体筒部と内側小筒部とを有しており、前記本体筒部の内部に、前記内側小筒部の少なくとも一部が位置しており、前記本体筒部の内周面と前記内側小筒部の外周面とを連結する連結壁部が形成されており、前記本体筒部の内周面と、前記軸筒部の長手方向で前記連結壁部と重なる面とが連続しており、少なくとも一の前記繊維体当接部は、この連続する２面と一体に形成される突起状部分の一部であることを特徴とする請求項１乃至７のいずれかに記載の塗布具である。
【００２７】
かかる構成では、繊維体当接部を形成するための部分が、軸筒部の強度を向上させるための補強部材としても機能するので、好ましい。
【００２８】
請求項９に記載の発明は、前記塗布体の最小径は、０．１ｍｍ以上３ｍｍ以下であることを特徴とする請求項１乃至８のいずれかに記載の塗布具である。
【００２９】
本発明では、塗布体の径が小さい場合であっても、塗布液吸蔵体の前方側への移動を防止（抑制）できるので、径の小さい塗布体を好適に採用することができる。
【発明の効果】
【００３０】
本発明は、繊維収束体の所定位置からのずれ及びそれに起因する問題の発生をより確実に防止できる。
【図面の簡単な説明】
【００３１】
【図１】本発明の第１実施形態に係る塗布具を示す断面図である。
【図２】図１の軸筒部の前端側部分を示す断面図である。
【図３】図１の軸筒部の前端側部分を示す斜視図である。
【図４】図１の軸筒部の前端側部分を示す断面斜視図である。
【図５】図１の軸筒部の前端側部分を示す一部破断斜視図である。
【図６】図２の軸筒部を示すＡ−Ａ断面図である。
【図７】図２の軸筒部の内部構造を示す説明図であり、外郭部材と軸方向で重なる部分を太線で示し、繊維体当接部となる部分を黒塗りで示す。
【図８】本発明の第２の実施形態に係る軸筒部の内部構造を示す説明図であり、外郭部材と軸方向で重なる部分を太線で示し、繊維体当接部となる部分を黒塗りで示す。
【図９】本発明の第３の実施形態に係る軸筒部の内部構造を示す説明図であり、外郭部材と軸方向で重なる部分を太線で示し、繊維体当接部となる部分を黒塗りで示す。
【図１０】本発明の第４の実施形態に係る軸筒部の内部構造を示す説明図であり、外郭部材と軸方向で重なる部分を太線で示し、繊維体当接部となる部分を黒塗りで示す。
【図１１】本発明の第５の実施形態に係る軸筒部の内部構造を示す説明図であり、外郭部材と軸方向で重なる部分を太線で示し、繊維体当接部となる部分を黒塗りで示す。
【図１２】本発明の第６の実施形態に係る軸筒部の内部構造を示す説明図であり、外郭部材と軸方向で重なる部分を太線で示し、繊維体当接部となる部分を黒塗りで示す。
【図１３】図１２の軸筒部を示す断面斜視図である。
【図１４】実験後の塗布具から取り出したインキ吸蔵体を撮影した写真であり、（ａ）〜（ｃ）はそれぞれ別の塗布具から取り出したインキ吸蔵体を撮影した写真である。
【発明を実施するための形態】
【００３２】
以下さらに、本発明の各実施形態について説明する。なお、以下の説明において「前後」の関係は、特に断りのない限り、長手方向の一端側であるペン先側を前側、対となる他端側を後側として説明する。
【００３３】
本発明の第１実施形態に係る塗布具１は、図１で示されるように、軸筒部２、ペン先部材３（塗布体）、インキ吸蔵体４（塗布液吸蔵体）、尾栓５を備えた構造となっている。
この塗布具１は、軸筒部２の内部にインキ吸蔵体４が内蔵されており、軸筒部２の内外に亘って延びるペン先部材３がインキ吸蔵体４と接触する構造となっている。そして、ペン先部材３が、毛細管現象によってインキ吸蔵体４に含浸されたインキ（塗布液）を吸い込むものとなっており、インキを吸い込んだペン先部材３を紙等の塗布対象物に接触させることで、インキを塗布するものとなっている。
【００３４】
軸筒部２は、長手方向の両端部分のそれぞれが開放された筒状の部材であり、本体筒部１０と、ペン先部材３を取り付けるための取付用筒部１１（内側小筒部）と、インキ吸蔵体４の移動を阻止するための吸蔵体当接部１２とが一体成形された部材となっている。そして、図２で示されるように、本実施形態の軸筒部２では、本体筒部１０の強度を向上させるための補強リブ部１３もまた一体形成されている。
【００３５】
本体筒部１０は、軸筒部２の大部分を占める部分であり、概形が略円筒状であって、ペン軸を形成する部分となっている。この本体筒部１０の内部空間は、図１で示されるように、インキ吸蔵体４を収納可能な空間となっている。そして、インキ吸蔵体４を収納した状態では、本体筒部１０の内周面とインキ吸蔵体４の間に空隙が形成されるものとなっている。
【００３６】
取付用筒部１１は、前端側に位置する保持筒部１１ａと、後端側に位置する遊嵌筒部１１ｂに区画される筒状部分である。
そして、保持筒部１１ａの前端側の一部が本体筒部１０の前端よりさらに前方に位置しており、保持筒部１１ａの一部及び遊嵌筒部１１ｂの全体が本体筒部１０の内側に位置している。すなわち、取付用筒部１１の後端側の一部分が、本体筒部１０の前端側部分の内部空間に位置した状態となっている。
【００３７】
この取付用筒部１１の外周面は、図２で示されるように、周方向の全周に亘って本体筒部１０の内周面から離れた位置にある。そして、取付用筒部１１の外周面の一部と、本体筒部１０の内周面の一部とが、連結板部１５（連結壁部）によって連結されている。
ここで、連結板部１５は、図３で示されるように、本体筒部１０及び取付用筒部１１の周方向に沿って延びており、円環状に連続する板状部分となっている。
つまり、図２で示されるように、本体筒部１０の内周面と取付用筒部１１の外周面の間に形成される空間であり、且つ、軸筒部２の周方向で連続する環状の空間が、連結板部１５により、軸筒部２の長手方向で分断された状態となっている。
【００３８】
保持筒部１１ａと遊嵌筒部１１ｂは、図２で示されるように、いずれも略円筒状の部分となっており、保持筒部１１ａは、遊嵌筒部１１ｂと比べて内径が大きな部分となっている。ここで、保持筒部１１ａの内周面の後端側に位置し、遊嵌筒部１１ｂの内周面と連続する部分には、ゆるやかな段差を形成する段差部１６が形成されている。すなわち、取付用筒部１１の内周面は、前端側に位置する比較的径が大きい部分と、後端側に位置する比較的径の小さい部分とが、ゆるやかな段差を介して連続している。
【００３９】
ここで、取付用筒部１１の内周面には、連通溝１７が形成されている。この連通溝１７は、図３で示されるように、複数（本実施形態では６つ）形成されており、平面視（視線方向を軸筒部２の長手方向とした平面視）で、回転対称となる位置にそれぞれ形成されている。
【００４０】
また、複数形成された連通溝１７のうち、２つの連通溝１７が、それぞれ異なる前端側欠落部１８と連続した状態となっている。
【００４１】
前端側欠落部１８は、保持筒部１１ａの前端部分に形成され、保持筒部１１ａの前端から後方へ向かって延びると共に、保持筒部１１ａの側壁面を貫通する部分である。すなわち、前端側欠落部１８は、保持筒部１１ａの前端部分の一部を欠落させたような形状となっている。
【００４２】
そして、本実施形態では、２つの前端側欠落部１８が形成されており、保持筒部１１ａの径方向で離間対向している。それぞれの前端側欠落部１８は、保持筒部１１ａの径方向における内側端部が連通溝１７の前端部分と連続し、一連の溝状部分を形成している。
【００４３】
ここで、それぞれの連通溝１７は、図４で示されるように、保持筒部１１ａの前端から段差部１６を経て、遊嵌筒部１１ｂの内周面まで延びている。より詳細には、遊嵌筒部１１ｂの内周面のうち、前端側よりもやや後方に位置する部分まで延びている。なお、これらの連通溝１７は、周囲よりも取付用筒部１１の径方向外側へ窪んだ部分となっている。
【００４４】
また、遊嵌筒部１１ｂには、その後端側部分に欠落部２０が形成されている。
欠落部２０は、遊嵌筒部１１ｂの後端部分の一部を欠落させて形成される部分であり、遊嵌筒部１１ｂの後端から前方へ向かって延びると共に、遊嵌筒部１１ｂの側壁面を貫通する部分である。
【００４５】
この欠落部２０は、図５で示されるように、複数（本実施形態では４つ）形成されており、それぞれ遊嵌筒部１１ｂの周方向で間隔を空けて並列している。より詳細には、図６で示されるように、２つの欠落部２０が軸筒部２の径方向で離間対向する位置にそれぞれ形成されており、この２つの欠落部２０の対向方向（所定方向）と直交する方向で、他の２つの欠落部２０が離間対向している。
すなわち、複数の欠落部２０が、平面視（視線方向を軸筒部２の長手方向とした平面視）で回転対称となるようにそれぞれ形成されている。
【００４６】
吸蔵体当接部１２は、図５で示されるように、それぞれ本体筒部１０の内周面と一体に形成されており、同内側面から径方向内側へ突出する突起状部分である。また、それぞれの吸蔵体当接部１２は、軸筒部２の長手方向と直交する面であって、本体筒部１０の内周面と連続する面とも一体に形成されている。なお、この本体筒部１０の内周面と連続する面は、連結板部１５の後方側（図４等参照）に位置する面であり、言い換えると、軸筒部２の長手方向において連結板部１５と重なる面となっている。
つまり、吸蔵体当接部１２は、少なくとも２面に跨るように形成された突起状部分である（詳しくは後述する）。言い換えると、吸蔵体当接部１２は、前端部（ペン先側端部）と、軸筒部２の径方向における外側端部で本体筒部１０と連続する突起状部分である。
【００４７】
また、それぞれの吸蔵体当接部１２の後端面と、遊嵌筒部１１ｂの後端面は、本体筒部１０の長手方向（前後方向）における位置が同一となっている。つまり、これらの面は、いずれも同一平面上（本体筒部１０の長手方向と直交する仮想平面上）に位置する面となっている。
【００４８】
本実施形態では、吸蔵体当接部１２として、それぞれ形状が異なる第１当接部２５と第２当接部２６とが形成されている。言い換えると、吸蔵体当接部１２は、形状の異なる複数種類（本実施形態では２種）の突起状部分のいずれかである。
【００４９】
第１当接部２５は、図６で示されるように、複数（本実施形態では４つ）形成されており、いずれも断面形状が略四角形状で本体筒部１０の長手方向（図６の奥行き方向）に延びる部分となっている。この複数の第１当接部２５は、平面視（視線方向を軸筒部２の長手方向とした平面視）において回転対称となるように形成されている。
この第１当接部２５は、本体筒部１０の内周面と、連結板部１５の後方側に位置する面の２面に跨るように形成された突起状部分である。
【００５０】
第２当接部２６は、複数（本実施形態では４つ）形成されており、いずれも断面形状が略「凸」字状で本体筒部１０の長手方向（図６の奥行き方向）に延びる部分となっている。この複数の第２当接部２６もまた、平面視（視線方向を軸筒部２の長手方向とした平面視）において回転対称となるように形成されている。
【００５１】
この第２当接部２６は、本体筒部１０の内周面側に位置する基端側部２６ａと、この基端側部２６ａよりも本体筒部１０の径方向内側に位置する先端側部２６ｂとが一体に形成された突起状部分である。
【００５２】
基端側部２６ａは、第１当接部２５と同形の部分である。
先端側部２６ｂは、基端側部２６ａの突出端（本体筒部１０の径方向における内側端部）からさらに突出する部分である。そして、断面形状が四角形状で本体筒部１０の長手方向（図６の奥行き方向）に延びており、幅方向の長さが基端側部２６ａよりも短くなっている。
なお、ここでいう「幅方向の長さ」とは、前後方向（本体筒部１０の延び方向）及び先端側部２６ｂの突出方向と直交する方向の長さである。すなわち、それぞれが本体筒部１０の径方向における内側端部と外側端部（突出方向における先端側と基端側）を繋ぐように形成される２つの側壁面間の距離となっている。なお、第１当接部２５、先端側部２６ｂ、補強リブ部１３における「幅方向の長さ」も同様に、２つの側壁面間の距離とする。
【００５３】
より詳細には、基端側部２６ａの一方の側壁面と先端側部２６ｂの一方の側壁面が、段差を介して連続しており、基端側部２６ａのもう一方の側壁面と先端側部２６ｂのもう一方の側壁面もまた、段差を介して連続している。
【００５４】
そして、先端側部２６ｂは、図５で示されるように、後端側（図５では上端側）の一部が欠落部２０の外側に位置した状態となっている。
なお、ここでいう「欠落部２０の外側」とは、遊嵌筒部１１ｂの径方向における外側であり、言い換えると、遊嵌筒部１１ｂ（本体筒部１０、取付用筒部１１）の横断面の広がり方向における外側である。
ここで、遊嵌筒部１１ｂの周方向における欠落部２０の長さは、その外側に位置する先端側部２６ｂの同方向における長さよりも長くなっている。すなわち、遊嵌筒部１１ｂの周方向に延びる欠落部２０のうち、一部分の外側に先端側部２６ｂが位置し、他部の外側に先端側部２６ｂが位置しない形状となっている。
【００５５】
また、先端側部２６ｂの後端側（図５では上端側）の一部を除いた前端側（ペン先側）の大部分が、遊嵌筒部１１ｂの側壁面と接触し、一体となるように形成されている。つまり、図６で示されるように、第２当接部２６は、本体筒部１０の内周面から遊嵌筒部１１ｂの外周面までの間で延びており、これらを連結するように形成されている。
つまり、第２当接部２６は、本体筒部１０の内周面と、連結板部１５の後方側に位置する面の２面に加え、遊嵌筒部１１ｂの側壁面とも接触している。言い換えると、第２当接部２６は、３面に跨るように形成された突起状部分である。
【００５６】
補強リブ部１３は、強度向上用のリブであり、図２、図４で示されるように、本体筒部１０の内周面と一体に形成され、同内周面から径方向内側へ突出する突起状部分である。
この補強リブ部１３の突出端面のうち、後端側に位置する部分には、図４で示されるように、後端側に向かうにつれて本体筒部１０の径方向外側へ向かう傾斜面が形成されている。言い換えると、補強リブ部１３の後端側部分は、後端側へ向かうにつれて突出長さが短くなるように形成されている。
つまり、この補強リブ部１３の前端側の大部分は、断面形状が四角形状で本体筒部１０の長手方向に延びた形状となっている。そして、後端側の一部は、後端側へ向かうにつれて断面積が小さくなるように延びている。
【００５７】
この補強リブ部１３の前端部分もまた、本体筒部１０の内周面と連続する面であり、且つ、連結板部１５の後方側に位置する面（図４等参照）とも一体に形成されている。すなわち、補強リブ部１３もまた、吸蔵体当接部１２と同様に、前端部（ペン先側端部）と、軸筒部２の径方向における外側端部とで本体筒部１０と連続する突起状部分となっている。
【００５８】
ここで、補強リブ部１３の幅方向の長さは、図６で示されるように、第１当接部２５の幅方向の長さや、基端側部２６ａ、先端側部２６ｂの幅方向の長さよりもさらに短くなっている。そして、補強リブ部１３もまた、平面視（視線方向を軸筒部２の長手方向とした平面視）において回転対称となるように複数形成されている。
【００５９】
ここで、第１当接部２５と第２当接部２６は、それぞれが本体筒部１０の周方向で間隔を空けて並列するように配されており、補強リブ部１３もまた、本体筒部１０の周方向で間隔を空けて並列するように配されている。そして、補強リブ部１３は、本体筒部１０の周方向において、第１当接部２５と第２当接部２６の間に位置する部分に配されている。
つまり、吸蔵体当接部１２（第１当接部２５、第２当接部２６）と補強リブ部１３は、本体筒部１０の周方向において、第１当接部２５、補強リブ部１３、第２当接部２６、補強リブ部１３、第１当接部２５・・・の順となるように間隔を空けて並列している。
【００６０】
より詳細には、第１当接部２５と基端側部２６ａとが、本体筒部１０の周方向で環状に間隔を空けて並列しており、その内側（本体筒部１０の径方向における内側）において、先端側部２６ｂが同方向（本体筒部１０の周方向）で環状に間隔を空けて並列している。
なお、「本体筒部１０の径方向における内側」とは、本体筒部１０の横断面の広がり方向における内側でもある。
そして、先端側部２６ｂのうち、２つの先端側部２６ｂは、本体筒部１０の径方向で離れた位置にそれぞれ形成されており、この２つの先端側部２６ｂの離間方向とは直交する方向で離れた位置のそれぞれに、他の２つの先端側部２６ｂが形成されている。
つまり、２つの先端側部２６ｂの離間方向と、他の２つの先端側部２６ｂの離間方向は、いずれも本体筒部１０の径方向であり、互いに直交する方向となっている。
【００６１】
ペン先部材３は、図１で示されるように、前端側に位置するペン先形成部３ａと、後端側に位置する基端軸部３ｂとに区画される部材である。そして、ペン先形成部３ａは、大部分において基端軸部３ｂよりも径が大きい部分となっている。
このペン先部材３は、繊維束の熱融着加工体、繊維束の樹脂加工体、フェルトの樹脂加工体といった適宜の繊維束を接合した素材で形成されている。このペン先部材３の最小径は、特に限定されるものではないが、０．１ｍｍ以上３ｍｍ以下のものを好適に採用可能であり、０．４ｍｍ以上１．６ｍｍ以下のものをさらに好適に採用できる。本実施形態では０．４ｍｍ程度となっている。
なお、ここでいう「程度」とは、数パーセントの誤差を含むものとする。
【００６２】
ペン先形成部３ａは、前端側の一部が保持筒部１１ａの前端よりも前方に位置すると共に、後端側部分が保持筒部１１ａに内嵌される部分である。すなわち、ペン先形成部３ａの後端側部分は、その大部分が保持筒部１１ａの内側面と密着した状態となっている。
【００６３】
基端軸部３ｂは、前端側の一部が遊嵌筒部１１ｂの内側に位置すると共に、後端側の一部がインキ吸蔵体４に接触した状態となっている。
より詳細には、基端軸部３ｂの前端側の外側面と、遊嵌筒部１１ｂの内側面の間には、空隙が形成された状態となっている。そして、後端側の一部は、遊嵌筒部１１ｂの後端よりも後方側に位置し、インキ吸蔵体４の中綿３１（繊維収束体、詳しくは後述する）に差し込まれた状態となっている。
【００６４】
ここで、塗布具１の前端側部分には、外部と内部空間を連通する一連の空気流通路２７が形成されている。
詳細に説明すると、上記したように、前端側欠落部１８（図３参照）と一部の連通溝１７が連続し、一連の溝部分を形成している。そして、それぞれの連通溝１７は、保持筒部１１ａの内側面に形成され、遊嵌筒部１１ｂの内側面まで延びている。さらに、遊嵌筒部１１ｂの内部では、上記したように、基端軸部３ｂの外周面と遊嵌筒部１１ｂの内周面の間に空隙が形成されている。
以上のことから、空気流通路２７は、前端側欠落部１８と、連通溝１７と、遊嵌筒部１１ｂの空隙とが連続して形成される部分と、前端側欠落部１８と連続しない連通溝１７と、遊嵌筒部１１ｂの空隙とが連続して形成される部分とを有する一連の流路となっている。そして、この空気流通路２７の後端部分は、遊嵌筒部１１ｂの後端部分と、欠落部２０を介して本体筒部１０の内部空間と連続している。
【００６５】
インキ吸蔵体４は、図１で示されるように、外郭部材３０の内部に、インキを含浸させた中綿３１を詰め込んで形成される部材である。
【００６６】
外郭部材３０は、外形が円筒状となる樹脂製の部材であり、ポリエチレン樹脂、ポリプロピレン樹脂等の適宜な樹脂を原料とするものである。
中綿３１は、インキ（塗布液）が含浸される繊維収束体である。特に限定されるものではないが、中綿３１には、アクリル繊維、ポリエステル繊維、ナイロン繊維、ポリエチレン繊維、ポリプロピレン繊維等の合成繊維、綿、麻、パルプ等の植物繊維、羊毛、生糸等動物繊維等を好適に採用可能となっている。
【００６７】
尾栓５は、軸筒部２（本体筒部１０）の後端側に装着可能であり、装着することで、本体筒部１０の後端側に位置する開放部分を閉塞する部材である。
【００６８】
ここで、本実施形態の塗布具１では、ペン先部材３の基端軸部３ｂの径が０．４ｍｍ程度となっている。すなわち、ペン先部材３のうち、中綿３１に前端側から接触する部分が比較的細くなっている。
そして、ペン先部材３のうち、中綿３１と接触する部分が比較的太い場合、ペン先部材３が中綿３１の前方側へのずれを防止するために機能する。しかしながら、この部分が比較的細い場合、中綿３１のずれが発生する可能性が高まってしまう。そして、中綿３１が前方側（ペン先側）へずれてしまい、空気流通路２７の後端側部分を閉塞してしまうと、塗布具１を使用した際のムラやカスレの原因となってしまう。
そこで、本実施形態の塗布具１では、ペン先部材３の最小径を比較的細いものとした場合であっても、このような中綿３１のずれに起因する空気流通路２７の閉塞を防止（抑制）することが可能な構造となっている。
【００６９】
詳説すると、仮に中綿３１が前方側へ移動してしまった場合、本実施形態の塗布具１では、第１当接部２５の後端面の一部と、第２当接部２６の後端面の一部と、遊嵌筒部１１ｂの後端面のそれぞれに中綿３１の前端部分が当接する。つまり、これらが中綿３１と当接する繊維体当接部となる。
【００７０】
具体的には、第１当接部２５の後端面のうちで突出端側に位置する部分と、第２当接部２６の基端側部２６ａの後端面のうちで突出端側に位置する部分と、先端側部２６ｂの後端面と、遊嵌筒部１１ｂの後端面（図７における黒塗り部分）とが繊維体当接部となる。
そして、第１当接部２５の後端面の他の一部と、基端側部２６ａの後端面の他の一部のそれぞれ（図７において太線αと重なる部分）がインキ吸蔵体４の外郭部材３０が当接する外皮当接部となる。
つまり、本実施形態では、外郭部材３０と当接する外皮当接部に加え、中綿３１と当接する繊維体当接部を有する構造となっている。
【００７１】
ここで、インキ吸蔵体４の前端部分を軸筒部２の横断面（仮想横断面）に投影した面のうち、中綿３１（外郭部材３０の内側に相当する部分）が投影された領域の面積、つまり、図７の太線αで囲まれた部分の面積を吸蔵体配置面積とする。
さらに、上記した繊維体当接部を同横断面に投影した面の面積、つまり、図７の黒塗り部分の合計面積を当接部面積とする。
このとき、塗布具１の吸蔵体配置面積に対する当接部面積の割合は、１５パーセント以上であることが好ましく、本実施形態では２０パーセント程度となっている。
なお、ここでいう「程度」とは、誤差を含むものとする。
【００７２】
このような構造とすることで、本実施形態の塗布具１は、中綿３１が前方側へ移動してしまっても、中綿３１が繊維体当接部（先端側部２６ｂと遊嵌筒部１１ｂの後端部分）と広く接触する。このことにより、中綿３１の全体が前方へ大きく移動してしまうことを防止することができる。
すなわち、仮に吸蔵体配置面積に対する当接部面積の割合を小さくした場合（１５パーセント未満とした場合）、中綿３１の一部分の前方への移動を阻止可能ではあるが、中綿３１が変形し、他の大部分がさらに前方へと移動してしまう。つまり、中綿３１が繊維体当接部を避けるように変形し、繊維体当接部の周辺や繊維体当接部から離れた部分で中綿３１の一部が前方側へ移動してしまう。
【００７３】
これに対し、本実施形態のように、吸蔵体配置面積に対する当接部面積の割合を一定以上大きくした場合（１５パーセント以上とした場合）、中綿３１に繊維体当接部が広い範囲で接触し、中綿３１のより多くの部分で前方への移動を確実に阻止できる。さらに、広い範囲で接触させることで、繊維体当接部が接触していない部分の面積が必然的に小さくなり、この部分が変形し難い（変形しない又は変形量が極めて小さい）状態となる。
【００７４】
また、本実施形態では、上記したように、遊嵌筒部１１ｂの後端側部分に欠落部２０を形成しており、この欠落部２０が空気流通路２７の後端側の開口部分を形成している。そして、この欠落部２０が、繊維体当接部となる先端側部２６ｂと、遊嵌筒部１１ｂの後端部分によって囲まれた構造となっている。
【００７５】
すなわち、欠落部２０のうち、遊嵌筒部１１ｂの周方向における両端部のそれぞれと隣接する位置に、繊維体当接部となる遊嵌筒部１１ｂの後端部分が位置している。言い換えると、欠落部２０は２つの繊維体当接部の間に位置した状態となっている。
さらに、遊嵌筒部１１ｂの径方向で欠落部２０の外側に隣接する位置に、先端側部２６ｂが位置する構造となっている。
このように、平面視において欠落部２０が３方を３つの繊維体当接部によって囲まれた構造とすると、中綿３１が欠落部２０に入り込み難く、中綿３１による空気流通路２７の閉塞をさらに確実に抑制できる。
【００７６】
続いて、本発明の第２実施形態について説明する。
なお、第２実施形態の塗布具は、軸筒部１０２の構造が上記した第１実施形態と異なっており、その他の部分は第１実施形態と同様となっている。このため、軸筒部１０２のみを詳細に説明し、他部材の詳細な説明を省略する。また、軸筒部１０２においても、上記実施形態と同様の部分については、同じ符号を付し、詳細な説明を省略する。
また、後述する第３実施形態以降の実施形態においても同様に、軸筒部１０２のみを詳細に説明し、他の詳細な説明を省略すると共に、上記実施形態と同様の部分については、同じ符号を付して詳細な説明を省略する。
【００７７】
本実施形態の軸筒部１０２は、図８で示されるように、吸蔵体当接部１１２の形状及び遊嵌筒部１１ｂ周辺の構造が上記した実施形態とは異なっている。
すなわち、上記した第１実施形態では、第１当接部２５、第２当接部２６からなる２種の形状の吸蔵体当接部１２を形成した。これに対し、本実施形態では、形成される吸蔵体当接部１１２の形状が１種類であり、全て同形である点が異なっている。
なお、この吸蔵体当接部１１２もまた、２面に跨るように形成された突起状部分となっている。つまり、本体筒部１１０の内周面の他、連結板部１５の後方側に位置する面とも一体に形成されている。
【００７８】
本実施形態の吸蔵体当接部１１２は、基端側部１１２ａと、この基端側部１１２ａよりも本体筒部１１０の径方向内側に位置する先端側部１１２ｂとを備えており、基端側部１１２ａの幅方向の長さが先端側部１１２ｂの幅方向の長さよりも長くなっている。
【００７９】
そして、上記した第１実施形態において先端側部２６ｂの突出端の大部分が遊嵌筒部１１ｂの外周面と一体に形成されているのに対し、本実施形態では、先端側部１１２ｂの突出端面と遊嵌筒部１１ｂの外周面の間に空隙が形成されている。すなわち、先端側部１１２ｂの突出端面が、遊嵌筒部１１ｂの外周面よりも遊嵌筒部１１ｂの径方向で外側に離れた位置に配されている。
したがって、欠落部２０よりも遊嵌筒部１１ｂの径方向で外側に離れた位置に、先端側部１１２ｂが配された状態となっている。すなわち、欠落部２０のうち、遊嵌筒部１１ｂの径方向で外側端部に位置する外部との境界部分の一部と、先端側部１１２ｂの突出端面とは、離間対向した状態となっている。
【００８０】
さらに、本実施形態では、平面視において欠落部２０が形成されている部分から遊嵌筒部１１ｂの径方向で外側に離れた位置だけでなく、欠落部２０が形成されていない部分から同方向で外側に離れた位置にもまた、先端側部１１２ｂが配された構造となっている。
つまり、欠落部２０が形成されていない部分から遊嵌筒部１１ｂの径方向で外側に離れた位置に、繊維体当接部が形成された構造となっている。
【００８１】
この第２実施形態の塗布具では、吸蔵体配置面積に対する当接部面積の割合が２３パーセントとなっている。
【００８２】
続いて、本発明の第３実施形態について説明する。
本実施形態の軸筒部２０２では、図９で示されるように、第１当接部２５、第２当接部２２６からなる２種類の形状の吸蔵体当接部２１２をそれぞれ形成している。
【００８３】
第２当接部２２６は、断面形状が略四角形状で軸筒部２０２の延び方向（図９の手前奥方向）に延びる部分である。この第２当接部２２６は、その前端部分（ペン先側の端部）が、連結板部１５の後方側に位置する面と一体に形成されている。言い換えると、連結板部１５の後方側に位置する面からさらに後方側へ突出する突起状部分となっている。
【００８４】
この第２当接部２２６は、本体筒部２１０の内周面から本体筒部２１０の径方向内側へ離れた位置であり、且つ、遊嵌筒部１１ｂの外周面から同方向で外側に離れた位置に形成されている。
つまり、第２当接部２２６のうち、本体筒部２１０の径方向における外側面と本体筒部２１０の内周面の間に、空隙が形成された状態となっている。加えて、第２当接部２２６のうち、本体筒部２１０の径方向における内側面と遊嵌筒部１１ｂの外周面の間にもまた、空隙が形成された状態となっている。
【００８５】
また、第２当接部２２６の後端側部分は、欠落部２０から遊嵌筒部１１ｂの径方向で外側へ離れた位置に配されている。すなわち、欠落部２０のうち、遊嵌筒部１１ｂの径方向で外側端部に位置する外部との境界部分の一部と、第２当接部２２６のうち、同方向における内側面とは、離間対向した状態となっている。
【００８６】
ここで、本実施形態の第１当接部２５は、上記した実施形態と同様に、一部が外皮当接部となり、他の一部が繊維体当接部となる。これに対し、第２当接部２２６は、後端部分の全域が繊維体当接部となる。
つまり、本実施形態では、吸蔵体当接部２１２の一つが、通常設置したインキ吸蔵体４の中綿３１と前後方向で重なると共に、外郭部材３０とは前後方向で重ならない突起状部分となっている。
【００８７】
この第３実施形態の塗布具では、吸蔵体配置面積に対する当接部面積の割合が１５パーセントとなっている。
【００８８】
続いて、本発明の第４実施形態について説明する。
本実施形態の軸筒部３０２では、図１０で示されるように、第１当接部２５、第２当接部３２６からなる２種類の形状の吸蔵体当接部３１２をそれぞれ形成している。
【００８９】
本実施形態の第２当接部３２６は、上記した第３実施形態の第２当接部２２６と比べ、本体筒部３１０の径方向における長さが長くなっている。
そして、本実施形態の第２当接部３２６の同方向における内側端部は、上記した第１実施形態と同様に、その前端側（図１０における奥側）に位置する大部分が遊嵌筒部１１ｂの外周面と接触した状態となっている。
つまり、この第２当接部３２６は、連結板部１５の後方側に位置する面と、遊嵌筒部１１ｂの外周面の２面に跨るように形成された突起状部分となっている。
【００９０】
さらに、欠落部２０の外側であり、遊嵌筒部１１ｂの径方向で外側に隣接する位置に、第２当接部３２６が位置する構造となっている。すなわち、平面視において欠落部２０が３方を３つの繊維体当接部によって囲まれた構造となっている。
【００９１】
この第４実施形態の塗布具では、吸蔵体配置面積に対する当接部面積の割合が１８パーセントとなっている。
【００９２】
続いて、本発明の第５実施形態について説明する。
本実施形態の軸筒部４０２では、図１１で示されるように、第１当接部２５、第２当接部４２６からなる２種類の形状の吸蔵体当接部４１２をそれぞれ形成している。
【００９３】
第２当接部４２６は、本体筒部４１０の内周面から本体筒部４１０の径方向内側へ離れた位置であり、且つ、遊嵌筒部１１ｂの外周面から同方向で外側に離れた位置に形成されている。そして、この第２当接部４２６もまた、その前端部分（ペン先側の端部）が、連結板部１５の後方側に位置する面と一体に形成されている。つまり、第２当接部４２６は、連結板部１５の後方側に位置する面であり、且つ、本体筒部４１０の内周面と連続する面から、さらに後方側へ突出する突起状部分となっている。
【００９４】
そして、この第２当接部４２６は、平面視（視線方向を軸筒部４０２の長手方向とした平面視）において、軸筒部４０２の周方向（本体筒部４１０の周方向）に延びた形状となっており、湾曲しつつ延びる壁状部分となっている。
【００９５】
ここで、第２当接部４２６の内側面（本体筒部４１０の径方向における内側面）は、欠落部２０の外側端部（本体筒部４１０の径方向における外側端部）に位置する外部との境界部分と比べ、本体筒部４１０の周方向における長さが長くなっている。
すなわち、第２当接部４２６の内側面は、欠落部２０の外側端部に位置する境界部分の全域と離間対向した状態となっている。
【００９６】
この第５実施形態の塗布具では、吸蔵体配置面積に対する当接部面積の割合が２０パーセントとなっている。
【００９７】
続いて、本発明の第６実施形態について説明する。
本実施形態の軸筒部５０２では、図１２で示されるように、上記した第２実施形態と同形の吸蔵体当接部１１２の他、補強リブ部５１３と一体的に形成した吸蔵体当接部５１２を設けている。
さらに、本実施形態では、遊嵌筒部５１１ｂの欠落部５２０を６つ形成しており、それぞれの幅（遊嵌筒部５１１ｂの周方向における長さ）を上記した実施形態の欠落部２０よりも短く形成している。つまり、本実施形態では、欠落部５２０を細溝状とし、上記実施形態よりも多数設けている。なお、この欠落部５２０もまた、平面視（視線方向を軸筒部２の長手方向とした平面視）で回転対称となる位置にそれぞれ形成されている。
【００９８】
ここで、遊嵌筒部５１１ｂの径方向で離間対向する２つの欠落部５２０を１つの組としたとき、３組のそれぞれで２つの欠落部５２０の離間方向が異なる構造となっている。
詳細に説明すると、いずれか１の組における２つの欠落部５２０の離間方向は、他の２組（他の全ての組）における同離間方向のいずれとも異なる方向であり、且つ、いずれとも交差する方向となっている。
【００９９】
２種のうち、一方の吸蔵体当接部１１２は、上記と同様に、基端側部１１２ａと、先端側部１１２ｂが一体的に形成された構造となっている。
ここで、吸蔵体当接部１１２は、欠落部５２０と同数（６つ）形成されており、それぞれが欠落部５２０の外側に位置している。そして、先端側部１１２ｂの幅方向の長さと欠落部５２０の同方向の長さが略同一となっている。
すなわち、先端側部１１２ｂの突出端面（本体筒部５１０の径方向における内側面）は、欠落部５２０の外側端部に位置する境界部分の全域と離間対向した状態となっている。
この吸蔵体当接部１１２は、いずれも本体筒部５１０の内周面の他、連結板部１５の後方側に位置する面とも一体に形成されており、２面に跨るように形成された突起状部分となっている。
【０１００】
もう一方の吸蔵体当接部５１２は、図１２、図１３で示されるように、補強リブ部５１３の前端側部分（ペン先側部分）から、内側（本体筒部５１０の径方向における内側）へ突出する突起状部分である。
ここで、本実施形態の補強リブ部５１３は、図１２で示されるように、上記した実施形態の補強リブ部１３よりも幅方向の長さが長くなっている。なお、図示を省略するが、この補強リブ部５１３は、上記した実施形態の補強リブ部１３と同様に、後端側に傾斜面を有する形状であり、また、前後方向の長さ（本体筒部５１０の長手方向の長さ）が上記した実施形態の補強リブ部１３と同じ長さとなっている。
そして、吸蔵体当接部５１２の幅方向の長さは、補強リブ部５１３の幅方向の長さと同一であり、基端側部１１２ａの幅方向の長さとも同一となっている。
【０１０１】
この吸蔵体当接部５１２は、補強リブ部５１３の内側端部の他、連結板部１５の後方側に位置する面とも一体に形成されており、２面に跨るように形成された突起状部分となっている。
そして、この吸蔵体当接部５１２の後端部分が、外皮当接部及び繊維体当接部となる部分となっている。つまり、吸蔵体当接部５１２の突出端面（本体筒部５１０の径方向における内側面）と、補強リブ部５１３の後端側部分における内側面（本体筒部５１０の径方向における内側面）との間に形成される段差部分が、外皮当接部及び繊維体当接部となっている。
【０１０２】
この第６実施形態の塗布具では、吸蔵体配置面積に対する当接部面積の割合が２５パーセントとなっている。
【０１０３】
上記した実施形態では、外皮当接部と繊維体当接部が同一平面状に位置するように形成した例を示したが、本発明はこれに限るものではない。例えば、外皮当接部となる面が繊維体当接部となる面よりも塗布具の後端側に位置していてもよい。すなわち、外皮当接部となる面と、繊維体当接部となる面とが段差や傾斜面等を介して連続していてもよい。
【０１０４】
上記したように、吸蔵体配置面積に対する当接部面積の割合は、１５パーセント以上とすることが好ましい。そして、本体筒部１０の内部空間と空気流通路２７とを確実に連通させるという観点から、１５パーセント以上９５パーセント以下とすることが好ましい。
より好ましくは、本体筒部１０の内部空間のうち、空気流通路２７と連なる部分を広くし、より確実に空気流動性を確保するという観点から、１５パーセント以上９０パーセント以下とすることが好ましい。このとき、１５パーセント以上７５パーセント以下とすることがより好ましく、１５パーセント以上５０パーセント以下とすることがさらに好ましい。
さらに好ましくは、より高い空気流動性の確保と、中綿の一定以上の大きな飛び出しの防止を両立させるという観点から、１５パーセント以上４５パーセント以下とすることが好ましく、１５パーセント以上２５パーセント以下とすることより好ましい。そして、１８パーセント以上２３パーセント以下とすることがさらに好ましい。
このさらに好ましい範囲では、高い塗布性能を安定して発揮可能となる。
【０１０５】
さらに、本発明者が本願発明を想到するに至るまでに実施した実験につき、以下で詳細に説明する。
【０１０６】
吸蔵体配置面積に対する当接部面積の割合を８．８パーセントとした第１の塗布具と、２０．２７パーセントした第２の塗布具と、２１．４０パーセントした第３の塗布具とを用意した。
これらの塗布具は、外皮当接部及び繊維体当接部のみがそれぞれ異なるものとし、ペン先部材、インキ吸蔵体を含む他の部材は同じ構造とした。すなわち、軸筒部の吸蔵体当接部に係る構造のみが異なるものとした。
そして、これらの塗布具をそれぞれ同条件で落下させ、衝撃を加えた。具体的には、１ｍの高さから倒立姿勢（ペン先が下方側を向く姿勢）で落下させ、衝撃を加えた。
この後、それぞれの塗布具からインキ吸蔵体を取り出し、中綿の突出量を比較した。
【０１０７】
第１の塗布具では、図１４（ａ）で示されるように、中綿が外郭部材の端部から（前端部分からさらに前方に）１．８８ｍｍ飛び出していることが確認された。すなわち、最大突出量が１．８８ｍｍであることが確認された。
第２の塗布具では、図１４（ｂ）で示されるように、中綿が外郭部材の端部から（前端部分からさらに前方に）０．４０５ｍｍ飛び出していることが確認された。すなわち、最大突出量が０．４０５ｍｍであることが確認された。
第３の塗布具では、図１４（ｃ）で示されるように、中綿が外郭部材の端部から（前端部分からさらに前方に）０．３１２ｍｍ飛び出していることが確認された。すなわち、最大突出量が０．３１２ｍｍであることが確認された。
すなわち、第１の塗布具では、中綿が大きく飛び出しており、他の塗布具では中綿の飛び出し長さが微量であることが確認された。
【０１０８】
本発明者らは、吸蔵体配置面積に対する当接部面積の割合を可変しつつ同様の実験を繰り返すことで、同割合が１５パーセントを下回ると、中綿が顕著に大きく飛び出すことを見出した。そして、この知見から、吸蔵体配置面積に対する当接部面積の割合を１５パーセント以上とすることで、中綿の大きな飛び出しを防止できることを見出して本願発明を想到した。
【符号の説明】
【０１０９】
１  塗布具
２，１０２，３０２，４０２，５０２  軸筒部
３  ペン先部材（塗布体）
４  インキ吸蔵体（塗布液吸蔵体）
１０，１１０，２１０，３１０，４１０，５１０  本体筒部
１１  取付用筒部（内側小筒部）
１２，１１２，２１２，３１２，４１２，５１２  吸蔵体当接部
１５  連結板部（連結壁部）
２０，５２０  欠落部
２５  第１当接部
２６，２２６，３２６，４２６  第２当接部
２７  空気流通路
３０  外郭部材
３１  中綿（繊維収束体）
【図１】
2019025857.tif 000003
【図２】
2019025857.tif 000004
【図３】
2019025857.tif 000005
【図４】
2019025857.tif 000006
【図５】
2019025857.tif 000007
【図６】
2019025857.tif 000008
【図７】
2019025857.tif 000009
【図８】
2019025857.tif 000010
【図９】
2019025857.tif 000011
【図１０】
2019025857.tif 000012
【図１１】
2019025857.tif 000013
【図１２】
2019025857.tif 000014
【図１３】
2019025857.tif 000015
【図１４】
2019025857.tif 000016